(57)【特許請求の範囲】
【請求項１】
複数系統の放送信号の中から、受信する系統の放送信号を設定する設定手段と、
放送信号の系統毎に、選局するチャンネルを登録したチャンネルマップを記憶する記憶手段と、
前記設定手段により設定されている系統の放送信号から、選局されているチャンネルを受信する受信手段と、を有するテレビジョン装置において、
チャンネルの選局を受け付けた際、今回選局を受け付けたチャンネルが前記設定手段により設定されている系統のチャンネルマップに登録されているか否かを判定する第１判定手段と、
前記第１判定手段により、今回選局を受け付けたチャンネルが前記設定手段によって設定さている系統の放送信号のチャンネルマップに登録されていないと判定された際、このチャンネルが他の系統の放送信号のチャンネルマップに登録さているか否かを判定する第２判定手段と、
メッセージを出力する出力手段と、を備え、
前記受信手段は、前記第２判定手段により、今回選局を受け付けたチャンネルが他の系統の放送信号のチャンネルマップに登録されていると判定された際、このチャンネルが登録されているチャンネルマップに対応する系統の放送信号から、今回選局を受け付けたチャンネルを受信し、前記第２判定手段により、今回選局を受け付けたチャンネルが他の系統の放送信号のチャンネルマップにも登録されていないと判定された際、設定手段により設定されている系統の放送信号から、今回選局を受け付けたチャンネルを受信する手段であり、
前記設定手段は、前記第２判定手段により、今回選局を受け付けたチャンネルが他の系統の放送信号のチャンネルマップにも登録されていないと判定された際、設定手段により設定されている系統の放送信号から、今回選局を受け付けたチャンネルを受信する手段であり、
前記出力手段は、今回選局を受け付けたチャンネルが他の系統の放送信号のチャンネルマップにも登録されていないと判定され、前記受信手段が設定手段により設定されている系統の放送信号から、今回選局を受け付けたチャンネルを受信したときに、このチャンネルで放送が行われていなければ、その旨を示すメッセージを出力する手段であることを特徴とするテレビジョン装置。
【請求項２】
複数系統の放送信号の中から、受信する系統の放送信号を設定する設定手段と、
放送信号の系統毎に、選局するチャンネルを登録したチャンネルマップを記憶する記憶手段と、
前記設定手段により設定されている系統の放送信号から、選局されているチャンネルを受信する受信手段と、を有するテレビジョン装置において、
チャンネルの選局を受け付けた際、今回選局を受け付けたチャンネルが前記設定手段により設定されている系統のチャンネルマップに登録されているか否かを判定する第１判定手段と、
前記第１判定手段により、今回選局を受け付けたチャンネルが前記設定手段によって設定さている系統の放送信号のチャンネルマップに登録されていないと判定された際、このチャンネルが他の系統の放送信号のチャンネルマップに登録さているか否かを判定する第２判定手段と、を備え、
前記受信手段は、前記第２判定手段により、今回選局を受け付けたチャンネルが他の系統の放送信号のチャンネルマップに登録されていると判定された際、このチャンネルが登録されているチャンネルマップに対応する系統の放送信号から、今回選局を受け付けたチャンネルを受信する手段であることを特徴とするテレビジョン装置。
【請求項３】
前記設定手段は、前記第２判定手段により、今回選局を受け付けたチャンネルが他の系統の放送信号のチャンネルマップに登録されていると判定された際、このチャンネルが登録されているチャンネルマップに対応する系統の放送信号を、受信する系統の放送信号に設定する手段であることを特徴とする請求項２に記載のテレビジョン装置。
【請求項４】
前記受信手段は、前記第２判定手段により、今回選局を受け付けたチャンネルが他の系統の放送信号のチャンネルマップにも登録されていないと判定された際、設定手段により設定されている系統の放送信号から、今回選局を受け付けたチャンネルを受信する手段であることを特徴とする請求項２または３に記載のテレビジョン装置。
【請求項５】
前記第２判定手段により、今回選局を受け付けたチャンネルが他の系統の放送信号のチャンネルマップにも登録されていないと判定され、前記受信手段が設定手段により設定されている系統の放送信号から、今回選局を受け付けたチャンネルを受信したときに、このチャンネルで放送が行われていなければ、その旨を示すメッセージを出力する出力手段を備えたことを特徴とする請求項４に記載のテレビジョン装置。
【発明の詳細な説明】
【技術分野】
【０００１】
この発明は、液晶テレビやプラズマテレビ等のテレビ放送を受信するテレビジョン装置に関する。
【背景技術】
【０００２】
液晶テレビやプラズマテレビ等のテレビ放送を受信するテレビジョン装置は、地上波ＡＴＳＣ（Advanced Television Systems Committee ）やデジタルケーブル放送等の複数の系統の放送信号を受信し、映像を表示する。ユーザは、視聴したい系統の放送信号をリモコン装置等を操作して設定する。また、各系統の放送信号には多くのチャンネルがあり、ユーザはリモコン装置等を操作して希望のチャンネルを選局する。この時の選局の操作としては、キーを押下してチャンネルを昇順、降順に選局していく操作、ダイレクトにチャンネルを指定する操作がある。
【０００３】
各系統の放送信号には多くのチャンネルがあるが、ユーザが全てのチャンネルの番組を視聴することは少なく、好みによっていくつかのチャンネルに限定される。そのため、テレビジョン装置には、ユーザのチャンネル選局の利便性を考慮して気に入ったチャンネルのみを登録しておけるチャンネルマップを記憶することができる。このチャンネルマップは、複数系統の放送信号のそれぞれに対して形成され、設定されている系統の放送信号のチャンネルマップのみが適用される。また、系統の放送信号の設定変更された際は、このチャンネルマップも変更される。
【０００４】
ユーザは、リモコン装置等を操作し、このチャンネルマップに登録されているチャンネルについてのみ選局することもできる。この場合の選局の操作も上述と同様にチャンネルを昇順、降順に選局していく操作、ダイレクトにチャンネルを指定する操作がある（例えば、特許文献１参照。）。また、チャンネルマップを用いて選局する際に登録されていないチャンネルがダイレクトに選局されると、チャンネルが登録されていない旨の表示がされる。
【０００５】
また、近年のテレビジョン装置には、ユーザのチャンネル選局の利便性を考慮して異なる系統の放送信号において同一のチャンネルを有する場合、このチャンネルに識別子を付加し、選局したチャンネルおよび識別子から、受信する系統の放送信号を選択して番組を受信する構成のものがある（例えば、特許文献２参照。）。
【特許文献１】特開平９−５５８９４号公報
【特許文献２】特開２００４−１３４８６６号公報
【発明の開示】
【発明が解決しようとする課題】
【０００６】
しかしながら、特許文献１等に記載されたテレビジョン装置では、チャンネルマップにおける選局において、例えばユーザが希望する系統の放送信号に設定を変更するのを忘れた状態で希望する系統の放送信号のチャンネルマップに登録されているチャンネルをダイレクトに選局すると、現在設定されている系統の放送信号のチャンネルマップには選局されたチャンネルが登録されていないので、その旨が表示されてしまう。そのため、ユーザは希望する系統の放送信号の設定を変更した上で再度チャンネルを選局しなければならず、非常に手間がかかっていた。
【０００７】
この発明の目的は、現在設定されていない他の系統の放送信号のチャンネルマップに登録されているチャンネルが選局された場合であっても、選局されたチャンネルを受信してユーザのチャンネル選局の利便性を向上させることができるテレビジョン装置を提供することにある。
【課題を解決するための手段】
【０００８】
この発明は、上記課題を解決するために以下の構成を備えている。
【０００９】
（１）複数系統の放送信号の中から、受信する系統の放送信号を設定する設定手段と、
放送信号の系統毎に、選局するチャンネルを登録したチャンネルマップを記憶する記憶手段と、
前記設定手段により設定されている系統の放送信号から、選局されているチャンネルを受信する受信手段と、を有するテレビジョン装置において、
チャンネルの選局を受け付けた際、今回選局を受け付けたチャンネルが前記設定手段により設定されている系統のチャンネルマップに登録されているか否かを判定する第１判定手段と、
前記第１判定手段により、今回選局を受け付けたチャンネルが前記設定手段によって設定さている系統の放送信号のチャンネルマップに登録されていないと判定された際、このチャンネルが他の系統の放送信号のチャンネルマップに登録さているか否かを判定する第２判定手段と、を備え、
前記受信手段は、前記第２判定手段により、今回選局を受け付けたチャンネルが他の系統の放送信号のチャンネルマップに登録されていると判定された際、このチャンネルが登録されているチャンネルマップに対応する系統の放送信号から、今回選局を受け付けたチャンネルを受信する手段であることを特徴とする。
【００１０】
この構成においては、今回選局が受け付けられたチャンネルが現在設定されている系統の放送信号のチャンネルマップに登録されておらず、他の系統の放送信号のチャンネルマップに登録されていると判定された際、他の系統の放送信号から今回受け付けられたチャンネルが受信される。したがって、設定されている系統の放送信号を変更して再度チャンネルを選局する手間を省くことができ、ユーザのチャンネル選局の利便性を向上させることができる。
【００１１】
（２）前記設定手段は、前記第２判定手段により、今回選局を受け付けたチャンネルが他の系統の放送信号のチャンネルマップに登録されていると判定された際、このチャンネルが登録されているチャンネルマップに対応する系統の放送信号を、受信する系統の放送信号に設定する手段であることを特徴とする。
【００１２】
この構成においては、今回選局が受け付けられたチャンネルが現在設定されている系統の放送信号のチャンネルマップに登録されておらず、他の系統の放送信号のチャンネルマップに登録されていると判定された際、現在設定されている系統の放送信号から今回選局が受け付けられたチャンネルが登録されているチャンネルマップに対応する系統の放送信号に設定が変更される。したがって、ユーザが視聴を希望する放送信号の系統に設定を変更する手間を省くことができ、ユーザのチャンネル選局の利便性をより向上させることができる。
【００１３】
（３）前記受信手段は、前記第２判定手段により、今回選局を受け付けたチャンネルが他の系統の放送信号のチャンネルマップにも登録されていないと判定された際、設定手段により設定されている系統の放送信号から、今回選局を受け付けたチャンネルを受信する手段であることを特徴とする。
【００１４】
この構成においては、今回選局が受け付けられたチャンネルが現在設定されている系統の放送信号のチャンネルマップに登録されておらず、他の系統の放送信号のチャンネルマップにも登録されていないと判定された際、現在設定されている系統の放送信号から今回選局が受け付けられたチャンネルが受信される。これは、チャンネルマップには、希望するチャンネルのみが登録されているので、登録されてなくてもチャンネル自体は存在する場合があるからである。
【００１５】
したがって、チャンネルマップに登録されていないチャンネルであっても受信するので、ユーザがチャンネルマップによる選局をやめて、ダイレクトにチャンネルを選局できるようにした上で再度選局をする手間を省くことができ、ユーザのチャンネル選局の利便性をより向上させることができる。
【００１６】
（４）前記第２判定手段により、今回選局を受け付けたチャンネルが他の系統の放送信号のチャンネルマップにも登録されていないと判定され、前記受信手段が設定手段により設定されている系統の放送信号から、今回選局を受け付けたチャンネルを受信したときに、このチャンネルで放送が行われていなければ、その旨を示すメッセージを出力する出力手段を備えたことを特徴とする。
【００１７】
この構成においては、今回選局が受け付けられたチャンネルが現在設定されている系統の放送信号のチャンネルマップに登録されておらず、他の系統の放送信号のチャンネルマップにも登録されていないと判定された際、現在設定されている系統の放送信号から今回選局が受け付けられたチャンネルが受信されるが、受信したチャンネルで放送が行われていない場合にその旨が出力される。したがって、ユーザに選局したチャンネルでは放送が行われていない旨をすぐに知らせることができる。
【発明の効果】
【００１８】
この発明によれば、設定されている系統の放送信号を変更して再度チャンネルを選局する手間を省くことができ、ユーザのチャンネル選局の利便性を向上させることができる。
【発明を実施するための最良の形態】
【００１９】
以下、この発明の実施形態に係るテレビジョン装置を適用した液晶テレビについて説明する。
【００２０】
図１は、この発明の実施形態に係る液晶テレビの主要部の構成を示すブロック図である。液晶テレビ１は、装置本体の動作を制御する制御部２と、地上波ＡＴＳＣの放送信号のうち選局を受け付けたチャンネルをアンテナ２０を介して受信し、出力するチューナ３と、デジタルケーブル放送の放送信号のうち選局を受け付けたチャンネルをアンテナ２１を介して受信し、出力するチューナ４と、を備えている。
【００２１】
また、液晶テレビ１は、チューナ３，４が出力した放送信号に基づく映像をＬＣＤ（Liquid Crystal Display）７に表示させる映像処理部５と、操作案内画面等のオンスクリーン画像信号（以下、ＯＳＤ画像信号と言う。）を生成するＯＳＤ生成部６と、チューナ３，４が出力した放送信号に基づく音声をスピーカ９から出力する音声処理部８と、入力操作を行う操作部１０と、チャンネルマップ等の各種設定値を記憶している記憶部１１と、を備えている。記憶部１１は、本発明の記憶手段に相当する。
【００２２】
制御部２は、操作部１０が受け付けた内容に応じて制御を行う。映像処理部４は、チューナ３，４から出力された放送信号の映像とＯＳＤ生成部６によって生成されたＯＳＤ画像とを合成して出力する。操作部１０は、チャンネルの選局、ボリュームのアップ、ダウン等の入力を受け付ける。チャンネル選局の操作としては、図示しないアップキー、ダウンキーを押下してチャンネルを昇順、降順に選局していく操作、ダイレクトにチャンネルを指定する操作がある。
【００２３】
また、操作部１０は、地上波ＡＴＳＣの放送信号およびデジタルケーブル放送の放送信号のうちユーザが視聴したい系統の放送信号の設定も受け付ける。操作部１０は、本発明の設定手段に相当する。制御部２は、設定を受け付けた系統の放送信号を記憶部１１に格納し、またチューナ３，４のうち設定された系統の放送信号を受信するチューナ３又は４に、選局されたチャンネルを受信させ、出力させる。なお、チューナ３，４は、各系統の放送信号の入力を切り換えて受信する単一のチューナであってもよい。チューナ３，４は本発明の受信手段に相当する。
【００２４】
図２は、チャンネルマップのイメージを示す説明図である。記憶部１１は、同図に示すような各系統の放送信号のチャンネルマップを記憶している。操作部１０は、各系統の放送信号のチャンネルマップへのチャンネルの登録も受け付ける。
【００２５】
チャンネルマップは、各系統の放送信号毎に設けられ、各系統の放送信号において受信されるチャンネルのうちユーザが登録したいチャンネルのみを登録できる。また、このチャンネルマップに登録されているチャンネルについてのみの選局が可能である。操作部１０は、チャンネルマップによる選局を行う設定も受け付ける。この場合の選局の操作も上述と同様にチャンネルを昇順、降順に選局しているく操作、ダイレクトにチャンネルを指定する操作がある。
【００２６】
なお、図２（Ａ）が地上波ＡＴＳＣの放送信号のチャンネルマップを示す図であり、図２（Ｂ）がデジタルケーブル放送の放送信号のチャンネルマップに示す図である。○印が記載された欄が登録されているチャンネルを示す。
【００２７】
このチャンネルマップによるチャンネルの選局は、設定されている系統の放送信号のチャンネルマップが適用される。制御部２は、放送信号の設定が変更された際、変更後の系統の放送信号のチャンネルマップを記憶部１１から読み出す。
【００２８】
図３は、ダイレクトにチャンネルマップによるチャンネルの選局を行う際の処理の手順を示す流れ図である。
【００２９】
チャンネルマップによる選局を行う設定がされている状態において、リモコン装置３０等を操作してダイレクトにチャンネルの指定（選局）がされた際、制御部２は、今回選局を受け付けたチャンネルが現在設定されている系統の放送信号のチャンネルマップに登録されているか否かを判定する（Ｓ１）。具体的には、現在設定されている系統の放送信号のチャンネルマップと今回選局を受け付けたチャンネルとを比較する。
【００３０】
Ｓ１において、登録されていると判定した場合は今回選局を受け付けたチャンネルの受信を開始し（Ｓ２）、全体の処理を終了する。例えば、現在設定されている系統の放送信号が地上波ＡＴＳＣの放送信号である場合、ユーザが仮想ＣＨ１０、ＳＵＢＣＨ２を選局した際、図２（Ａ）に示すようにチャンネルマップに登録されているので、このチャンネルの受信が開始される。
【００３１】
一方、制御部２は、Ｓ１において現在設定されている系統の放送信号のチャンネルマップに今回選局を受け付けたチャンネルが登録されていないと判定した場合、今回選局を受け付けたチャンネルが他の系統の放送信号のチャンネルマップに登録されているか否かを判定する（Ｓ３）。具体的には、設定されていない系統の放送信号のチャンネルマップを記憶部１１から読み出した後、今回選局を受け付けたチャンネルと比較する。したがって、制御部２は、本発明の第１判定手段および第２判定手段に相当する。
【００３２】
Ｓ３において、登録されていると判定した場合は、現在設定されている系統の放送信号から、登録されていたチャンネルマップに対応する系統の放送信号に設定を変更（記憶部１１に格納）し（Ｓ４）、Ｓ２の処理に移行して今回選局を受け付けたチャンネルの受信を開始して全体の処理を終了する。
【００３３】
例えば、現在設定されている系統の放送信号が地上波ＡＴＳＣの放送信号である場合、ユーザが仮想ＣＨ８、ＳＵＢＣＨ１を選局した際、図２（Ａ）に示すようにチャンネルマップに登録されていないが、読み出した図２（Ｂ）に示すデジタルケーブル放送のチャンネルマップには登録されているので、地上波ＡＴＳＣの放送信号からデジタルケーブル放送の放送信号の設定に変更し、今回選局を受け付けたチャンネルの受信を開始する。
【００３４】
一方、制御部２は、Ｓ３において他の系統の放送信号のチャンネルマップにも登録されていないと判定した場合は、現在設定されている系統の放送信号において今回選局を受け付けたチャンネルの受信を行う（Ｓ５）。具体的には、設定されている系統の放送信号に対応するチューナ３又は４に今回選局を受け付けたチャンネルを受信させる。
【００３５】
これは、今回選局を受け付けたチャンネルがチャンネルマップに登録されてないだけで、設定されている系統の放送信号から受信可能な場合もあるからである。これにより、チャンネルマップに登録されていないチャンネルであっても受信するので、ユーザがチャンネルマップによる選局の設定をやめて、ダイレクトにチャンネルを選局できるように設定した上で再度選局をする手間を省くことができ、ユーザのチャンネル選局の利便性を向上させることができる。
【００３６】
次に、制御部２は、受信を開始したチャンネルで放送が行われているか否かを判定する（Ｓ６）。具体的には、Ｓ５において今回選局が受け付けられたチャンネルの受信を開始したチューナ３又は４から、放送を受信した旨を受け取ったか否かによって判定する。
【００３７】
Ｓ６において、今回選局を受け付けたチャンネルで放送が行われていると判定した場合、全体の処理を終了する。一方、Ｓ６において、今回選局を受け付けたチャンネルで放送が行われていないと判定した場合、その旨のメッセージを出力し（Ｓ７）、全体の処理を終了する。具体的には、ＯＳＤ生成部６によって生成されたメッセージの画像を映像処理部５において合成して出力させる。これにより、選局したチャンネルでは放送が行われていない旨をユーザにすぐに知らせることができる。したがって、映像処理部５は、本発明の出力手段に相当する。
【００３８】
以上のように、選局を受け付けたチャンネルが他の系統の放送信号のチャンネルマップに登録されていると判定された際に選局を受け付けたチャンネルの受信を行うことで、設定されている系統の放送信号を変更して再度チャンネルを選局する手間を省くことができ、ユーザのチャンネル選局の利便性を向上させることができる。
【００３９】
なお、本実施形態では、地上波ＡＴＳＣ及びデジタルケーブル放送の２系統の放送信号を受信しているが特にこれに限定されるものではなく、複数の系統であればよく、また地上波ＮＴＳＣ（National Television Standards Committee ）等の系統の放送信号をであってもよい。
【００４０】
また、Ｓ４において他の系統の放送信号に設定を変更する処理を行っているが、設定を変更を行わなくてもよく、今回選局を受け付けたチャンネルが登録されているチャンネルマップに対応する系統の放送信号を受信するチューナ３又は４から受信を行えばよい。
【００４１】
さらに、本実施形態では液晶テレビ１を用いて説明しているが、プラズマテレビやブラウン管方式のテレビ等のテレビジョン装置に適用しても上述と同様の効果を奏することができる。
【図面の簡単な説明】
【００４２】
【図１】この発明の実施形態に係る液晶テレビの主要部の構成を示すブロック図である。
【図２】チャンネルマップのイメージを示す説明図である。
【図３】この発明の実施形態に係る液晶テレビにおいてダイレクトにチャンネルマップによるチャンネルの選局を行う際の処理の手順を示す流れ図である。
【符号の説明】
【００４３】
１−液晶テレビ
２−制御部
３，４−チューナ
５−映像処理部
６−ＯＳＤ画像生成部
１０−操作部
２０，２１−アンテナ
【図１】
0004770380.tif 000002
【図２】
0004770380.tif 000003
【図３】
0004770380.tif 000004